(57)【要約】  本発明は、光源（２）と、光源（２）からの光が誘導される放射面（６）を備えた光導体素子（３）と、放射面（６）の上に配置されている透明可撓性素子（４）とを有する表示装置（１）に関する。透明可撓性素子（４）は、少なくとも１つの第１の部分領域（９）および少なくとも１つの第２の部分領域（１０）を備えた第１の層（７）と、第２の層（８）とを有する。第１の層（７）は、放射面（６）の光を第１の部分領域（９）においては透過させ、第２の部分領域（１０）においては透過させないように構成されている。第２の層（８）は、光の放射方向において第１の層（７）の上方に配置されており、光源（２）の光の少なくとも一部を透過させるよう構成されている。
2010540978.tif 000002
【特許請求の範囲】
【請求項１】
表示装置（１）において、
光源（２）と、
前記光源（２）からの光が誘導される放射面（６）を備えた光導体素子（３）と、
放射面（６）の上に配置されている透明可撓性素子（４）とを有し、
前記透明可撓性素子（４）は、少なくとも１つの第１の部分領域（９）および少なくとも１つの第２の部分領域（１０）を備えた第１の層（７）と、第２の層（８）とを有し、
前記第１の層（７）は、前記放射面（６）の光を前記第１の部分領域（９）においては透過させ、前記第２の部分領域（１０）においては透過させないように構成されており、
前記第２の層（８）は、前記光の放射方向において前記第１の層（７）の上方に配置されており、前記光源（２）の光の少なくとも一部を透過させるよう構成されていることを特徴とする、表示装置（１）。
【請求項２】
前記第２の層（８）は偏光フィルムを含み、第１の偏光方向の光を透過させ、第２の偏光方向の光を透過させないように構成されている、請求項１記載の表示装置（１）。
【請求項３】
前記第２の層（８）は表示装置（１）の表面（１４）に配置されており、表示装置（１）は前記光源（２）がスイッチオンされている場合にはシンボル（１５）を前記表面（１４）に表示し、前記光源（２）がスイッチオフされている場合にはシンボル（１５）を前記表面（１４）に表示しないように構成されている、請求項１または２記載の表示装置（１）。
【請求項４】
前記第１の層（７）は前記光導体素子（３）の前記放射面（６）の上に配置されている、請求項１から３までのいずれか１項記載の表示装置（１）。
【請求項５】
前記第１の層（７）と前記第２の層（８）との間に付加的な拡散フィルム（１１）が配置されている、請求項１から４までのいずれか１項記載の表示装置（１）。
【請求項６】
前記光導体素子（３）および前記第１の層（７）は少なくとも２つの部分に分割されており、前記光導体素子（３）ないし前記第１の層（７）の第１の部分および第２の部分は別個に照明可能であり、表示装置（１）によって前記第１の部分を照明する際には第１のシンボル（１５）が表示され、前記第２の部分を照明する際には第２のシンボル（１５）が表示される、請求項１から５までのいずれか１項記載の表示装置（１）。
【請求項７】
前記光源（２）は少なくとも１つの発光ダイオードを有する、請求項１から６までのいずれか１項記載の表示装置（１）。
【請求項８】
前記第２の層（８）は偏光フィルムを含み、第１の偏光方向の光を透過させ、第２の偏光方向の光を透過させないように構成されており、前記第１の層（７）と前記第２の層（８）との間には付加的な拡散フィルム（１１）が配置されている、請求項１から７までのいずれか１項記載の表示装置（１）。
【請求項９】
第１の動作状態および少なくとも１つの第２の動作状態を有し、且つ、表面（１４）を備えた少なくとも１つのキーと、該キーに対応付けられている、請求項１から８までのいずれか１項記載の表示装置（１）とを有する、電子器機（１６）用のキーボード装置において、
前記表示装置（１）は、前記第１の動作状態において前記表面（１４）にシンボル（１５）を表示せず、前記第２の動作状態において前記表面（１４）にシンボル（１５）を表示するよう構成されていることを特徴とするキーボード装置。
【請求項１０】
前記電子器機（１６）は複数の第２の動作状態を有し、該第２の動作状態の各々には、前記表示装置（１）によって前記キーの前記表面（１４）に表示可能である１つの所定のシンボル（１５）が対応付けられている、請求項９記載のキーボード装置。
【発明の詳細な説明】
【技術分野】
【０００１】
本発明は、光源および光導体素子を有する表示装置に関する。さらに本発明は電子器機用のキーボード装置に関する。
【０００２】
従来技術から、電子器機用のキーボード装置および表示装置が多数公知である。殊に移動電話機においては通常の場合、１つまたは複数のキーには移動電話機の異なる動作モードにおいて異なる機能が割り当てられている。その時点において割り当てられている機能を明確にするために、その種のマルチファンクションキーは通常の場合、表示部の下方に配置され、その都度の機能が表示部に表示される。
【０００３】
マルチファンクションキーおよび表示部から成るその種の配置構成では表示部の自由に使用できる表示面が失われることになる。さらには、その種の配置構成は状況によっては不明確なものなので、電子器機の操作が困難になる可能性がある。
【０００４】
したがって本発明の課題は、キーに目下割り当てられている機能を機能的に、またそれと同時に光学的に応答する表示部が設けられている、改善されたキーボード装置および表示装置を提供することである。
【０００５】
本発明が基礎とする課題は、光源と、光源からの光を放射面へと誘導する、放射面を備えた光導体素子と、放射面の上に配置されている透明可撓性素子とを有する表示装置によって解決される。透明可撓性素子は、少なくとも１つの第１の部分領域と少なくとも１つの第２の部分領域とを備えており、放射面の光が第１の部分領域においては透過され、第２の部分領域においては透過されない第１の層と、光の放射方向において第１の層の上方に配置されており、光源の光の少なくとも一部を透過させる第２の層とを有する。
【０００６】
光源と、光導体素子と、第１の層および第２の層を備えた透明可撓性素子とを有する表示装置を使用することによって、スペースが節約された表示部が実現される。表示装置はキーへの組み込みに適しているので、割り当てられている機能を別個に配置されている表示素子によって表示することは省略される。
【０００７】
有利な実施形態によれば、第２の層は偏光フィルムを含み、第１の偏光方向の光を透過させ、第２の偏光方向の光を透過させないように構成されている。偏光フィルムの使用によって、入射する周囲光が第２の層を介して十分にフィルタリングされるので、周囲光が入射しても表示装置を明確に読取ることができる。
【０００８】
別の有利な実施形態によれば、第２の層が表示装置の表面に配置されており、表示装置は光源がスイッチオンされている場合にはシンボルを表面に表示し、光源がスイッチオフされている場合にはシンボルを表面に表示しないように構成されている。表示装置、例えばキーキャップまたはケーシングボードの表面にシンボルを選択的に表示することによって、電子器機の動作状態が明確に表示される。この種の表示装置は、そのようにして光学的に表される社名または商標名の表示にも適している。
【０００９】
別の有利な実施形態によれば、第１の層と第２の層との間に付加的な拡散フィルムが配置されている。付加的な拡散フィルムを使用することによって入射する日光が散乱されるので、表示装置のコントラスト比が改善される。さらには光源によって表示装置の均等な照明が行われる。
【００１０】
別の有利な実施形態によれば、光導体素子および第１の層が少なくとも２つの部分に分割されており、光導体素子ないし第１の層の第１の部分および第２の部分を別個に照明することができ、また表示装置によって第１の部分を照明する際には第１のシンボルが表示され、第２の部分を照明する際には第２のシンボルが表示される。第１の部分ないし第２の部分の選択的な照明によって、表示装置を介して異なるシンボルを表示することができる。
【００１１】
本発明が基礎とする課題は同様に、第１の動作状態および少なくとも１つの第２の動作状態を有し、また表面を備えた少なくとも１つのキーと、このキーに対応付けられている、上述の実施形態のうちの１つによる表示装置とを有する電子器機用のキーボード装置によって解決される。表示装置は、第１の動作状態においてシンボルを表面に表示せず、第２の動作状態においてシンボルを表面に表示するように構成されている。キーの表面にシンボルを選択的に表示することによって、キーのその都度の機能が強調される。
【００１２】
本発明の別の有利な実施形態は従属請求項に記載されている。
【００１３】
以下では、図面を参照しながら実施例に基づき本発明を詳細に説明する。
【図面の簡単な説明】
【００１４】
【図１Ａ】本発明の実施形態による表示装置の概略的な構造を示す。
【図１Ｂ】図１Ａによる表示装置の１つの層の概略図を示す。
【図２Ａ】スイッチオフ状態の本発明による表示装置の断面図を示す。
【図２Ｂ】図２Ａによる表示装置の平面図を示す。
【図３Ａ】スイッチオン状態の本発明による表示装置の断面図を示す。
【図３Ｂ】図３Ａによる表示装置の平面図を示す。
【図４】本発明の実施形態によるキーボード装置を備えた電子器機を示す。
【００１５】
図１Ａは表示装置１の断面図を示す。表示装置１は光源２と、光導体素子３と、透明可撓性素子４とを有する。
【００１６】
この実施例において光源２は発光ダイオード（ＬＥＤ）５を有する。しかしながら、発光ダイオードの代わりに１つまたは複数の他のカラー光源または白色光源を使用することもできる。光導体素子３は例えばポリカーボネート（ＰＣ）、ポリメタクリル酸メチル樹脂（ＰＭＭＡ）、シリコンまたはグラスファイバマットからなる光導体を含む。発光ダイオード５およびプラスチック材料からなる光導体素子３を使用することによって、これらを殊に簡単に表示装置１の幾何学的な要求に適合させることができる。択一的に、非常に小さい構造形態を実現するために、発光ダイオード５および光導体素子３を単一部材として実施することもできる。
【００１７】
光導体素子３は放射面６を有し、この放射面６には光源２の光の少なくとも一部が供給される。光を供給するために例えば光導体素子３の全内部反射（ＴＩＲ）または光導体素子３の光散乱が利用される。
【００１８】
この実施例において、透明可撓性素子４は第１の層７および第２の層８を有し、これら２つの層７，８は光導体素子３の放射面６の上方に配置されている。第１の層７は構造化されている光吸収性または光反射性のフィルムである。
【００１９】
図１Ｂは、第１の部分領域９および第２の部分領域１０を備えた第１の層７の実施形態を示す。第１の部分領域９は、放射面６から放射された光を透過させるように構成されている。これに対し第２の部分領域１０は、放射面６の光を反射または吸収するように構成されている。例えば、光不透過性の黒いプラスチックフィルムを使用することができ、このプラスチックフィルムからシンボル、文字または他の表示要素が切り抜かれている。
【００２０】
第２の層８は光源２の光に対して少なくとも部分的に透過性である。例えば、第２の層８は線形または円形の偏光フィルタフィルムを有することができる。択一的に、グレーフィルタフィルムまたはカラーフィルタフィルムを使用することも可能である。
【００２１】
図１Ａに示されている表示装置１の実施形態においては、第１の層７と第２の層８との間に付加的な拡散フィルム１１を配置することもできる。付加的な拡散フィルム１１は第２の層８の表面から入射した光を散乱させるので、第１の層７の構造は光源２によるバックライト照明時にのみ識別される。それと同時にこの拡散フィルム１１でもって光源２による表示装置１の表面の均等な照明も行われる。
【００２２】
図２Ａは、スイッチオフ状態の表示装置１の実施例を示す。図２Ａに示されている状況においては、外部の光源１３の周囲光１２が表示装置１に入射する。表示装置１の透明可撓性素子４は入射する周囲光１２の大部分を吸収する。図２Ａに示されている実施例においては、表示装置１の光源２は起動されていない。したがって図２Ｂの平面図では、表示装置１の表面１４においてシンボルを識別することはできない。表面１４は単調な単色面のように見える。例えば、ケーシング表面またはキーキャップを完全に黒く見えるようにしてもよい。
【００２３】
図３Ａには、図２Ａと同一の表示装置１が示されている。しかしながら図３Ａに示されている状態においては、表示装置１の光源２がスイッチオンされている。光源２から放射された光は光導体素子３を介して透明可撓性素子４に供給される。透明可撓性素子４は供給された光の一部を透過させ、それにより表示装置１の表面１４にはシンボル１５が表示される。表示されたシンボル１５は図３Ｂの平面図に見て取れる。例えばシンボルは社名ロゴもしくはキー機能に関するピクトグラムまたは文字でよい。
【００２４】
図４は、モバイル電子器機１６を示す。この実施例において電子器機１６は移動電話機である。電子器機１６は第１の動作状態および第２の動作状態を取ることができる。例えば、電子器機１６は第１の動作状態においては通話に使用され、第２の動作状態においてはメディアデータの再生に使用される。
【００２５】
モバイル電子器機１６はキーブロック１７と、マルチファンクションロッカ１８と、表示部１９とを有する。例えば、キーブロック１７は数字を入力するための数字ブロックでよい。マルチファンクションロッカ１８は例えば４つの異なる方向、すなわち左、右、上および下に動かすことができる。表示部１９は例えば液晶ディスプレイ（ＬＣＤ；liquid crystal display）でよい。
【００２６】
例えば、マルチファンクションロッカ１８は第１の動作状態において、表示部１９上に表示されるメニュー構造をナビゲーションするために使用される。第２の動作状態、例えばメディアデータを再生するための動作状態においては、マルチファンクションロッカ１８はメニュー構造のナビゲーションには使用されずに、所定の命令の実行に使用される。例えば、４つの方向を再生される音楽クリップの早送り、早戻し、一時停止および停止に使用することができる。この第２の動作状態においては４つのシンボル１５Ａ〜１５Ｄがマルチファンクションロッカ１８に表示される。しかしながら電子器機１６が第１の動作状態にある場合、シンボル１５Ａ〜１５Ｄはいずれも表示されず、マルチファンクションロッカ１８は例えば黒く見える。
【００２７】
図示していない別の実施形態によれば、電子器機１６は多数の異なる動作状態を有する。例えば、移動電話機が上述のメディア再生機能の他にディジタルカメラ機能を有することも考えられる。ディジタルカメラ機能に対応付けられている動作状態においては、キーブロック１７および／またはマルチファンクションロッカ１８の１つまたは複数のキーに１つまたは複数の機能が対応付けられている。例えば、シャッタ機能またはフラッシュ点灯をマルチファンクションロッカ１８の異なる位置に対応付けることができる。
【００２８】
本発明のこの実施形態においては、マルチファンクションロッカ１８またはキーブロック１７の個々の領域は相互に独立して照明することができる。例えば、その下方に配置されている光導体素子３または第１の層７を、異なる光源２によって照明することができる第１の部分および第２の部分に分割することができる。このようにして、電子器機１６の第１の動作状態においてはマルチファンクションロッカ１８にそもそもシンボルは表示されず、電子器機１６の第２ないし第３の動作状態においては異なるシンボル１５をマルチファンクションロッカ１８に表示することができる。
【００２９】
電子器機１６のケーシングまたはキーボードの幾何学的配置に依存して、表示装置１を１つのキーに対応付けられている別の領域、例えばキーの上、下または横にも配置することができる。
【００３０】
シンボル１５を状況に応じて表示することによって、その都度割り当てられている機能が表示部１９にしか表示されない場合であっても、電子器機１６の操作は実質的により明確になる。さらに表示部１９は制限されることなく、例えば目下記録されている画像のような別の情報の表示にも使用される。
【００３１】
上記の実施形態は全て本発明を説明するためのものに過ぎないことを言及しておく。もちろん、個々の実施例において開示した個々の特徴または全ての特徴を種々に相互に組み合わせて別の実施形態を実現することもできる。
【００３２】
本願明細書は、ドイツ連邦共和国特許出願第102007043190.4号の優先権を主張するものであり、その開示内容は参照によって本願に含まれるものとする。
【図１Ａ】
2010540978.tif 000003
【図１Ｂ】
2010540978.tif 000004
【図２Ａ】
2010540978.tif 000005
【図２Ｂ】
2010540978.tif 000006
【図３Ａ】
2010540978.tif 000007
【図３Ｂ】
2010540978.tif 000008
【図４】
2010540978.tif 000009
【国際調査報告】
2010540978.tif 000010
2010540978.tif 000011
2010540978.tif 000012
2010540978.tif 000013
2010540978.tif 000014
2010540978.tif 000015